(57)【要約】【課題】入力信号に重畳されているコピーガード信号と同じコピーガード信号を持った映像信号を出力する。【解決手段】入力されたアナログ映像信号に重畳されているＶＢＩＤをＶＢＩＤ処理部２８で抽出してデコードし、デコードしたＶＢＩＤに基づいて、制御部２９でコピーガード信号を特定する。アナログ映像信号は、有効映像期間をＡＤＣ２４でデジタル信号に変換する。付加信号発生部２６で、デジタル変換された映像信号に対して標準垂直帰線期間データを付加すると共に、ＶＢＩＤを再びエンコードし、さらに特定されたコピーガード信号を生成し、エンコードしたＶＢＩＤと生成したコピーガード信号を垂直帰線期間に重畳し、ＤＡＣ５１でアナログ信号に変換して出力するように構成した。【選択図】　　　図１
2004096586.tif 000002
【特許請求の範囲】
【請求項１】
垂直帰線期間に、複数のコピーガード信号のうちのいずれかが多重されると共に、ＶＢＩＤデータがエンコードされて多重されたアナログ映像信号が入力される入力端と、
前記入力端に供給されるアナログ映像信号を受け前記ＶＢＩＤデータをデコードするデコード手段と、
前記入力端に供給されるアナログ映像信号の有効映像領域分をデジタル信号に変換するアナログ−デジタル変換器と、
前記アナログ−デジタル変換器でデジタル信号に変換された映像信号に、垂直帰線期間信号を付加すると共に、前記デコードされたＶＢＩＤデータに基づいて前記入力アナログ信号に重畳されたコピーガード信号を特定して付加する付加手段と、
前記付加手段から出力されるデジタル映像信号をアナログ信号に変換するデジタル−アナログ変換器と、
前記デジタル−アナログ変換器の出力を導出する出力端と、
を具備したことを特徴とする映像信号伝送装置。
【請求項２】
垂直帰線期間に、複数のコピーガード信号のいずれかが多重されると共に、信号供給源を特定するソース情報と、前記コピーガード信号を特定する制御情報と、解像度を特定する情報を含むＶＢＩＤデータがエンコードされて多重されたアナログ映像信号が入力される入力端と、
前記入力端に供給されるアナログ映像信号を受け前記ＶＢＩＤデータをデコードして前記ソース情報と制御情報と解像度情報を得るデコード手段と、
前記入力端に供給されるアナログ映像信号の有効映像領域分をデジタル信号に変換するアナログ−デジタル変換器と、
前記アナログ−デジタル変換器でデジタル信号に変換された映像信号に、垂直帰線期間信号を付加すると共に、前記デコードされた制御情報、前記ソース情報及び前記解像度情報のいずれかに基づいてコピーガード信号を特定して付加する付加手段と、
前記付加手段から出力されるデジタル映像信号をアナログ信号に変換するデジタル−アナログ変換器と、
前記デジタル−アナログ変換器の出力を導出する出力端と、
を具備したことを特徴とする映像信号伝送装置。
【請求項３】
さらに前記デコードされたＶＢＩＤをエンコードする手段を含み、前記付加手段はさらにエンコードされたＶＢＩＤをも付加するものであることを特徴とする請求項２に記載の映像信号伝送装置。
【請求項４】
アナログ映像信号の垂直帰線期間に複数のコピーガード信号のいずれかを重畳する付加手段と、前記付加手段に制御信号を供給して特定のコピーガード信号が重畳されるように制御する制御手段と、前記コピーガード信号が重畳された映像信号を出力する手段とを備えた信号供給源と、
前記信号供給源から供給された映像信号を受けて有効映像期間をデジタル処理する手段と、
前記デジタル処理された映像信号に対して、所定の垂直帰線期間信号を付加すると共に、複数のコピーガード信号のいずれかを重畳する付加手段と、所定の垂直帰線期間信号が付加されると共に、複数のコピーガード信号のいずれかが重畳された映像信号をアナログ信号に変換して出力する手段とを有した伝送手段と、
前記信号供給源の制御手段の制御信号と同じ制御信号を前記伝送手段の付加手段に供給して前記信号供給源のコピーガード信号と同じコピーガード信号が前記伝送手段の付加手段で生成されるように制御する手段と、
を具備したことを特徴とする映像信号伝送装置。
【請求項５】
垂直帰線期間に、複数のコピーガード信号のいずれかが多重されると共に、ＶＢＩＤがエンコードされて多重されたアナログ映像信号を受け前記ＶＢＩＤをデコードするステップと、
デコードされたＶＢＩＤに基づいてコピーガード信号を特定するステップと、
前記入力端に供給されるアナログ映像信号の有効映像領域分をデジタル信号に変換するステップと、
前記アナログ−デジタル変換器でデジタル信号に変換された映像信号に、垂直帰線期間信号を付加すると共に、前記特定されたコピーガード信号を生成して付加するステップと、
前記付加手段から出力されるデジタル映像信号をアナログ信号に変換するステップと、
前記デジタル−アナログ変換器の出力を導出するステップと、
を具備したことを特徴とする映像信号伝送方法。
【請求項６】
垂直帰線期間に、複数のコピーガード信号のいずれかが多重されると共に、信号供給源を特定するソース情報と、前記コピーガード信号を特定する制御情報と、解像度を特定する解像度情報を含むＶＢＩＤがエンコードされて多重されたアナログ映像信号を受け前記ＶＢＩＤをデコードするステップと、
デコードされたＶＢＩＤに基づいてコピーガード信号を特定するステップと、
前記入力端に供給されるアナログ映像信号の有効映像領域分をデジタル信号に変換するステップと、
前記アナログ−デジタル変換器でデジタル信号に変換された映像信号に、垂直帰線期間信号を付加すると共に、前記特定されたコピーガード信号を生成して付加するステップと、
前記付加手段から出力されるデジタル映像信号をアナログ信号に変換するステップと、
前記デジタル−アナログ変換器の出力を導出するステップと
を具備したことを特徴とする映像信号伝送方法。
【請求項７】
垂直帰線期間に、複数のコピーガード信号のいずれかが多重されると共に、前記コピーガード信号を特定する制御情報を含むＶＢＩＤデータがエンコードされて多重されたアナログ映像信号を受け前記ＶＢＩＤをデコードするステップと、
デコードされたＶＢＩＤに基づいてコピーガード信号を特定するステップと、
前記入力端に供給されるアナログ映像信号の有効映像領域分をデジタル信号に変換するステップと、
前記デコードされたＶＢＩＤをエンコードするステップと、
前記アナログ−デジタル変換器でデジタル信号に変換された映像信号に、垂直帰線期間信号を付加すると共に、前記特定されたコピーガード信号を生成して付加し、さらに前記エンコード手段でエンコードされたＶＢＩＤを付加するステップと、
前記付加手段から出力されるデジタル映像信号をアナログ信号に変換するステップと、
前記デジタル−アナログ変換器の出力を導出するステップと、
を具備したことを特徴とする映像信号伝送方法。
【請求項８】
アナログ映像信号の垂直帰線期間に複数のコピーガード信号のいずれかを重畳する第１の付加手段に対して制御信号を供給して特定のコピーガード信号が重畳されるように制御し、前記コピーガード信号が重畳された映像信号を出力するステップと、
前記信号供給源から供給された映像信号を受けて有効映像期間をデジタル処理するステップと、
前記デジタル処理された映像信号に対して、第２の付加手段により所定の垂直帰線期間信号を付加すると共に、当該垂直帰線期間に複数のコピーガード信号のいずれかを付加するステップと、
デジタル映像信号をアナログ信号に変換して出力するステップと、
前記第１の付加手段の制御信号と同じ制御信号を前記第２の付加手段に供給して両付加手段で同じコピーガード信号が付加されるように制御するステップと、
を具備したことを特徴とする映像信号伝送方法。
【発明の詳細な説明】
【０００１】
【発明の属する技術分野】
本発明は、映像信号伝送装置及び伝送方法に関し、特に、信号供給源から供給される映像信号に含まれるコピーガード信号を正確に復元して伝送することを可能にした映像信号伝送装置及び映像信号伝送方法に関する。
【０００２】
【従来の技術】
デジタルテレビジョン信号の伝送過程においては、著作権保護の観点から、コピーガードという複写制限機能を適用する場合が多々あり、デジタル映像情報及びデジタル音声情報に対して、制御情報を多重伝送することで保護対象となるデジタル情報の記録媒体への記録を制限している。また、そのようなコピーガードされたデジタル信号をアナログ信号に変換して伝送する場合でも、コピーガード信号を多重することが行なわれる。
【０００３】
このようなコピーガード信号が多重された映像信号を伝送する装置においては、伝送出力に、入力した信号に多重されているコピーガード信号と全く同じコピーガード信号を付す必要がある。
デジタル放送受信器あるいはデジタルテレビジョン信号記録再生機器等の信号供給源から供給されるアナログテレビジョン信号を、一旦デジタル信号に変換して処理し、再びアナログ信号に変換して出力する、例えばＰＤＰ（Ｐｌａｓｍａ　Ｄｉｓｐｌａｙ　Ｐａｎｅｌ）用のＳＴＢ（Ｓｅｔ　Ｔｏｐ　Ｂｏｘ）においても、入力信号にコピーガード信号が多重されていたら、そのまま同じコピーガード信号が多重された状態のアナログ信号を出力する必要がある。
【０００４】
一般にアナログテレビジョン信号におけるコピーガード信号は、マクロビジョン（登録商標）方式のものが適用されており、映像信号の垂直帰線期間に、再生時に同期を乱すような構成の擬似同期信号として重畳され、複数の種類がある。このようなコピーガード信号が多重されたアナログ映像信号を受けてデジタル信号に変換して処理する場合、デジタル処理では、有効映像期間のみに対して処理を行なうように構成されているため、垂直帰線期間が除外され、その段階でコピーガード信号がなくなってしまうことになる。その後、所定の垂直帰線期間用データを付加してからアナログ信号に変換しても当然ながらコピーガード信号が復元されることはない。
【０００５】
従来、図７に示すように、垂直帰線期間の奇数フィールドの第２０水平走査期間（２０Ｈ）及び図示しないが、偶数フィールドの第２８３Ｈにそれぞれ図８に示すように２０ビットのデータを重畳して伝送するＶＢＩＤ（Ｖｅｒｔｉｃａｌ　ＢｌａｎｋｉｎｇＩｎｔｅｒｖａｌ　Ｄａｔａ）方式が規格化されており、そのＶＢＩＤにコピーガードに関する情報も含まれる。
【０００６】
すなわち、ＣＧＭＳ（Ｃｏｐｙ　Ｇｅｎｅｒａｔｉｏｎ　Ｍａｎａｇｅｍｅｎｔ　Ｓｙｓｔｅｍ）によって規定された情報をＶＢＩＤとして多重伝送することが可能である。ＣＧＭＳは、２ビットの情報で構成され、制約条件なしにコピー可、一世代のみコピー可、コピー禁止、未定義の４情報でなる。
【０００７】
ＣＧＭＳを利用したコピー世代管理システムとしては、例えば特開２００２−１２５１９４号に記載されている。
すなわち、上記文献は、ＣＧＭＳを利用した映像信号の記録方法に関するもので、入力映像信号からＶＢＩＤを抽出してデコードし、ＣＧＭＳ情報を取得する。取得したＣＧＭＳ情報の世代管理情報に基づいて、新たなＣＧＭＳ情報を生成してＶＢＩＤとしてエンコードして映像信号に多重して記録することで、コピーの世代管理を実行するようにしたものである。
【０００８】
この文献の提案においては、コピーの世代管理については実行することが可能であるが、コピーガード信号自体について考慮されておらず、コピーガード信号の管理という点において充分ではない。
ＶＢＩＤとして、ＣＧＭＳ情報の他に、ＡＰＳ（Ａｎａｌｏｇ　ｃｏｐｙ　Ｐｒｏｔｅｃｔｉｏｎ　Ｓｙｓｔｅｍ）用の情報が定義されており、これによってアナログ出力コピー制御が可能である。このＡＰＳは、２ビットで構成され、制約条件なしにコピー可、擬似シンクパルス有、擬似シンクパルス＋２ライン反転分割バースト挿入、擬似シンクパルス＋４ライン反転分割バースト挿入の４情報でなり、いわゆるマクロビジョン方式のコピーガード信号の種類を特定する情報である。
【０００９】
このような情報をＶＢＩＤとして伝送することで、受信側では、それに基づいて、コピーガード信号を復元して映像信号に多重することが可能であるが、従来そのようなことを実現した装置は存在しておらず、そのような装置が待望されている。
【００１０】
【発明が解決しようとする課題】
以上のように、従来、垂直帰線期間にコピーガード信号が重畳されたアナログ映像信号を伝送するに際して、途中にデジタル信号処理段が介在すると、コピーガード信号が抜け落ちてしまって問題となっていた。
本発明は、ＶＢＩＤで伝送することが可能な、ＡＰＳ情報を利用して途中にデジタル信号処理段が介在しても、入力される映像信号に多重されているコピーガード信号を正確に復元して出力できるようにした映像信号伝送装置及び伝送方法を提供することを目的とする。
【００１１】
【課題を解決するための手段】
本発明の映像信号伝送装置は、垂直帰線期間に、複数のコピーガード信号のうちのいずれかが多重されると共に、ＶＢＩＤデータがエンコードされて多重されたアナログ映像信号が入力される入力端と、前記入力端に供給されるアナログ映像信号を受け前記ＶＢＩＤデータをデコードするデコード手段と、前記入力端に供給されるアナログ映像信号の有効映像領域分をデジタル信号に変換するアナログ−デジタル変換器と、前記アナログ−デジタル変換器でデジタル信号に変換された映像信号に、垂直帰線期間信号を付加すると共に、前記デコードされたＶＢＩＤデータに基づいて前記入力アナログ信号に重畳されたコピーガード信号を特定して付加する付加手段と、前記付加手段から出力されるデジタル映像信号をアナログ信号に変換するデジタル−アナログ変換器と、前記デジタル−アナログ変換器の出力を導出する出力端と、を具備したことを特徴とする。
【００１２】
本発明によれば、ＶＢＩＤをデコードした情報からコピーガード信号を特定して生成し、出力しようとする映像信号に重畳するようにしたので、入力映像信号に重畳されているコピーガード信号と同じコピーガード信号を出力することができるものである。
【００１３】
また、本発明の映像信号伝送装置は、垂直帰線期間に、複数のコピーガード信号のいずれかが多重されると共に、信号供給源を特定するソース情報と、前記コピーガード信号を特定する制御情報と、解像度を特定する情報を含むＶＢＩＤデータがエンコードされて多重されたアナログ映像信号が入力される入力端と、前記入力端に供給されるアナログ映像信号を受け前記ＶＢＩＤデータをデコードして前記ソース情報と制御情報と解像度情報を得るデコード手段と、前記入力端に供給されるアナログ映像信号の有効映像領域分をデジタル信号に変換するアナログ−デジタル変換器と、前記アナログ−デジタル変換器でデジタル信号に変換された映像信号に、垂直帰線期間信号を付加すると共に、前記デコードされた制御情報、前記ソース情報及び前記解像度情報のいずれかに基づいてコピーガード信号を特定して付加する付加手段と、前記付加手段から出力されるデジタル映像信号をアナログ信号に変換するデジタル−アナログ変換器と、前記デジタル−アナログ変換器の出力を導出する出力端と、を具備したことを特徴とする。
【００１４】
本発明によれば、ＶＢＩＤに含まれる複数の情報のいずれかに基づいてコピーガード信号を特定して生成し、出力しようとする映像信号に重畳するようにしたので、入力映像信号と同じコピーガード信号が重畳された映像信号を出力することができると共に、処理を簡潔にすることができるものである。
【００１５】
また、本発明の映像信号伝送装置は、アナログ映像信号の垂直帰線期間に複数のコピーガード信号のいずれかを重畳する付加手段と、前記付加手段に制御信号を供給して特定のコピーガード信号が重畳されるように制御する制御手段と、前記コピーガード信号が重畳された映像信号を出力する手段とを備えた信号供給源と、前記信号供給源から供給された映像信号を受けて有効映像期間をデジタル処理する手段と、前記デジタル処理された映像信号に対して、所定の垂直帰線期間信号を付加すると共に、複数のコピーガード信号のいずれかを重畳する付加手段と、所定の垂直帰線期間信号が付加されると共に、複数のコピーガード信号のいずれかが重畳された映像信号をアナログ信号に変換して出力する手段とを有した伝送手段と、前記信号供給源の制御手段の制御信号と同じ制御信号を前記伝送手段の付加手段に供給して前記信号供給源のコピーガード信号と同じコピーガード信号が前記伝送手段の付加手段で生成されるように制御する手段と、を具備したことを特徴とする。
【００１６】
本発明によれば、信号供給源側の付加信号発生部と、伝送装置側の付加信号発生部を同じ制御信号で制御するように構成したので、同じコピーガード信号を多重して出力することができる。
本発明の映像信号伝送方法は、垂直帰線期間に、複数のコピーガード信号のいずれかが多重されると共に、ＶＢＩＤがエンコードされて多重されたアナログ映像信号を受け前記ＶＢＩＤをデコードするステップと、デコードされたＶＢＩＤに基づいてコピーガード信号を特定するステップと、前記入力端に供給されるアナログ映像信号の有効映像領域分をデジタル信号に変換するステップと、前記アナログ−デジタル変換器でデジタル信号に変換された映像信号に、垂直帰線期間信号を付加すると共に、前記特定されたコピーガード信号を生成して付加するステップと、前記付加手段から出力されるデジタル映像信号をアナログ信号に変換するステップと、前記デジタル−アナログ変換器の出力を導出するステップと、を具備したことを特徴とする。
【００１７】
本発明によれば、ＶＢＩＤをデコードした情報からコピーガード信号を特定して生成し、出力しようとする映像信号に重畳するようにしたので、入力映像信号に重畳されているコピーガード信号と同じコピーガード信号を出力することができるものである。
【００１８】
さらに、本発明の映像信号伝送方法は、垂直帰線期間に、複数のコピーガード信号のいずれかが多重されると共に、信号供給源を特定するソース情報と、前記コピーガード信号を特定する制御情報と、解像度を特定する解像度情報を含むＶＢＩＤがエンコードされて多重されたアナログ映像信号を受け前記ＶＢＩＤをデコードするステップと、デコードされたＶＢＩＤに基づいてコピーガード信号を特定するステップと、前記入力端に供給されるアナログ映像信号の有効映像領域分をデジタル信号に変換するステップと、前記アナログ−デジタル変換器でデジタル信号に変換された映像信号に、垂直帰線期間信号を付加すると共に、前記特定されたコピーガード信号を生成して付加するステップと、前記付加手段から出力されるデジタル映像信号をアナログ信号に変換するステップと、前記デジタル−アナログ変換器の出力を導出するステップと、を具備したことを特徴とする。
【００１９】
本発明によれば、ＶＢＩＤに含まれる複数の情報のいずれかに基づいてコピーガード信号を特定して生成し、出力しようとする映像信号に重畳するようにしたので、入力映像信号と同じコピーガード信号が重畳された映像信号を出力することができると共に、処理を簡潔にすることができるものである。
【００２０】
また、本発明の映像信号伝送方法は、アナログ映像信号の垂直帰線期間に複数のコピーガード信号のいずれかを重畳する第１の付加手段に対して制御信号を供給して特定のコピーガード信号が重畳されるように制御し、前記コピーガード信号が重畳された映像信号を出力するステップと、前記信号供給源から供給された映像信号を受けて有効映像期間をデジタル処理するステップと、前記デジタル処理された映像信号に対して、第２の付加手段により所定の垂直帰線期間信号を付加すると共に、当該垂直帰線期間に複数のコピーガード信号のいずれかを付加するステップと、デジタル映像信号をアナログ信号に変換して出力するステップと、前記第１の付加手段の制御信号と同じ制御信号を前記第２の付加手段に供給して両付加手段で同じコピーガード信号が付加されるように制御するステップと、を具備したことを特徴とする。
【００２１】
本発明によれば、信号供給源側の付加信号発生部と、伝送装置側の付加信号発生部を同じ制御信号で制御するように構成したので、同じコピーガード信号を多重して出力することができる。
【００２２】
【発明の実施の形態】
以下、図面を参照しながら本発明の実施の形態を詳細に説明する。
図１は、本発明の映像信号伝送装置は、衛星デジタル放送を受信する信号供給源としてのＢＳ（Ｂｒｏａｄｃａｓｔｉｎｇ　Ｓａｔｅｌｌｉｔｅ）デジタルチューナ１１と、このチューナ１１から出力されるアナログ映像信号を、デジタル信号に変換してから所定の処理を施して、再びアナログ映像信号に変換して出力するＳＴＢ１２で構成される。ＳＴＢ１２の出力は、ＰＤＰ１３に供給されて映出される。
【００２３】
ＢＳデジタルチューナ１１は、図示しないアンテナからの放送信号をアンテナ入力端子１４で受ける。入力端子１４に供給された放送信号は、チューナ／復調部１５に供給されてチャンネルの選局と復調及び誤り訂正等の処理が施されてＴＳ（Ｔｒａｎｓｐｏｒｔ　Ｓｔｒｅａｍ）信号としてデマルチプレクサ１６に供給される。
【００２４】
デマルチプレクサ１６は、ＴＳ信号から放送番組を構成する映像データ、音声データ及び付加データとを分離抽出する機能を有し、抽出された映像データをデコーダ１７に供給する。デコーダ１７では、ＭＰＥＧ（Ｍｏｖｉｎｇ　Ｐｉｃｔｕｒｅ　Ｅｘｐｅｒｔｓ　Ｇｒｏｕｐ）２の復号を行なって、グラフィック処理部１８に出力する。グラフィック処理部１８では、映像データに対して所定の処理を施して、本発明の特徴部を構成する付加信号発生部１９に出力する。
【００２５】
付加信号発生部１９では、グラフィック処理部１８の出力に対して基準の垂直帰線期間のデータを付加すると共に、ＶＢＩＤと、コピーガード信号を付加して出力端子２０から出力する。
ＶＢＩＤとコピーガード信号は、デマルチプレクサ１６で分離された付加データに含まれる情報に基づき、制御部２１の制御の下、付加信号発生部１９で生成される。ＶＢＩＤは、ＣＧＭＳ、ＡＰＳ、信号供給源を特定するソース情報及び後述する映像信号の解像度情報を含み、コピーガード信号は基本的にＡＰＳに基づいて種類が特定されて生成されるが、ソース情報及び解像度情報もコピーガード信号の種類を特定する情報として寄与する。その詳細は後述する。
【００２６】
なお、ＢＳデジタルチューナ１１は、ユーザが操作するための入力部２２を有し、制御部２１を介して、各機能ブロックの制御を行なう。
出力端子２０から出力される映像信号は、ＳＴＢ１２の入力端子２３に供給される。
ＳＴＢ１２は、入力端子２３に供給されるアナログ映像信号の有効映像期間をデジタル信号に変換するＡＤＣ（Ａｎａｌｏｇ　Ｄｉｇｉｔａｌ　Ｃｏｎｖｅｒｔｅｒ）２４と、ＡＤＣ２４の出力に対して、所定の処理を行なうグラフィックプロセッサ２５と、グラフィックプロセッサ２５の出力に対してＶＢＩＤを重畳すると共にコピーガード信号を重畳する付加信号発生部２６と、付加信号発生部２６の出力を外部に出力するための出力端子２７を有する。
【００２７】
さらに、ＳＴＢ１２１２は、入力端子２３に供給されるアナログ映像信号からＶＢＩＤを抽出してデコードし、ＣＧＭＳ及びＡＰＳに基づいて所定のコピーガード信号を特定するＶＢＩＤ処理部２８と、ＶＢＩＤ処理部２８の出力に基づいて付加信号発生部２６を制御する制御部２９と、ユーザが操作するための入力部３０を有する。
【００２８】
付加信号発生部２６は、ＢＳデジタルチューナ１１の付加信号発生部１９と基本的に同じ構成であり、付加信号発生部１９から出力される映像信号と同じＶＢＩＤとコピーガード信号が多重された映像信号を出力する。
図１の装置によれば、入力されたアナログ映像信号をデジタル信号に変換して処理し、さらにアナログ信号に再変換して出力する伝送系において、入力アナログ映像信号からＶＢＩＤを抽出してデコードし、デコードしたＶＢＩＤによってコピーガード信号を特定し、特定したコピーガード信号を生成し、デコードしたＶＢＩＤを再びエンコードして生成したコピーガード信号と共に映像信号の垂直帰線期間に重畳し、さらにその信号をアナログ信号に変換して出力するように構成したことにより、入力される映像信号と全く同じコピーガード信号を多重して出力することができるものである。
【００２９】
図２は、ＶＢＩＤ処理部２８をさらに具体的に示したＳＴＢ１２の具体的構成を示すブロック図である。
ＶＢＩＤ処理部２８は、映像信号の２０Ｈ（水平走査期間）及び２８３Ｈ目に多重されているＶＢＩＤを抽出するＶＢＩＤ抽出部３１と、抽出したＶＢＩＤを記憶するメモリ３２を有する。
メモリ３２に記憶されたＶＢＩＤは、ＶＢＩＤ信号デコーダ３３に供給される。ＶＢＩＤ信号デコーダ３３は、コピーガード信号を特定するための制御コードＣ抽出部３４とソース情報抽出部３５と映像信号の解像度を示す解像度情報抽出部３６とを有する。
【００３０】
制御コードＣは、いわゆるＡＰＳに基づくコードであり、直接コピーガード信号を特定することが可能である。また、ソース情報抽出部３５は、このＳＴＢ１２に入力される映像信号がいかなる機器から供給されるものであるかということを示すものである。図１の場合は、ＢＳデジタルチューナであり、その他にデジタルＶＴＲ（Ｖｉｄｅｏ　Ｔａｐｅ　Ｒｅｃｏｒｄｅｒ）であったり、ＤＶＤ（Ｄｉｇｉｔａｌ　Ｖｅｒｓａｔｉｌｅ　Ｄｉｓｋ）であってもよい。それらの信号供給源とコピーガード信号とは一対一の関係になるものがあり、制御コードＣによらず、ソース情報によってコピーガード信号を特定することができる。
【００３１】
さらにまた、ＶＢＩＤには上記説明したＣＧＳＭ，ＡＰＳの他に、解像度すなわち垂直画素数と走査方式（インターレース：ｉか、プログレッシブ：ｐか）で表される伝送フォーマット４８０ｉ、４８０ｐ、７２０ｐ、１０８０ｉを示す情報が含まれており、これらの伝送フォーマットとコピーガード信号が一対一の関係となるように規定されているものがあり、解像度を表すＶＢＩＤをコピーガード信号を特定する情報として利用することが可能である。
【００３２】
解像度情報抽出部３６によって、ＶＢＩＤの内の解像度情報が抽出される。
ＶＢＩＤ信号デコーダ３３の制御コード抽出部３４で抽出された制御コード情報、ソース情報抽出部３５で抽出されたソース情報及び解像度情報抽出部３６で抽出された解像度情報は、制御部２９に供給され、ここでコピーガード信号の特定が行なわれる。
【００３３】
すなわち、ソース情報と解像度情報が、それ自体でコピーガード信号が特定されるものであれば、制御部２９は、そのコピーガード信号に対応するコード信号を内部メモリから読み出して付加信号発生部２６に供給する。それによってコード信号に対応したコピーガード信号が生成される。
【００３４】
すなわち、ソース情報がＶＴＲを示すものである場合と、解像度情報が４８０ｐである場合には、コピーガード信号が特定されるため、ＡＰＳの制御コードＣに基づいてコピーガード信号を特定するまでもないので、処理が簡単になりコピーガード信号の特定に誤りが発生する虞が少なくなる。
【００３５】
ソース情報及び解像度情報が、コピーガード信号を特定するものでない場合には、制御コード信号Ｃに基づく制御コードが付加信号発生部２６に供給され、当該コードに対応したコピーガード信号が生成される。
さらに、制御コードＣ、ソース情報及び解像度情報が制御部２９から付加信号発生部２６に供給されＶＢＩＤとしてエンコードされる。
図３は、ＳＴＢ１２の付加信号発生部２６の具体的構成を示すブロック図である。
制御部２９は、図２に示す制御部２９と同じものであり、制御部２９には、端子４１から制御コードＣが供給され、端子４２からソース情報が供給され、端子４３から解像度情報が入力される。端子４１〜４３は、ＶＢＩＤ信号デコーダ３３の出力端である。
【００３６】
制御部２９は、特定の制御コードを記憶するメモリ４４を含み、ソース情報及び解像度情報が、特定のコピーガード信号に対応するものである場合に、それを判別してメモリ４４から制御コードを呼び出して出力する。
付加信号発生部２６は、制御部２９から供給される制御コードに基づいてコピーガード信号を発生するコピーガード信号発生部４５と、制御部２９から供給される制御コードを符号化する符号化部４６と、ソース情報及び解像度情報を符号化する情報符号化部４７を有する。
【００３７】
さらに、付加信号発生部２６は、制御コード符号化部４６及び情報符号化部４７の各出力をＶＢＩＤにエンコードするＶＢＩＤ信号発生部４８を有する。
さらにまた、付加信号発生部２６は、コピーガード信号発生部４５の出力と、ＶＢＩＤ信号発生部４８の出力と、入力端子５０から供給される有効映像領域のデータを垂直帰線期間に多重するブランキング多重部４９と、ブランキング多重部４９の出力をアナログ信号に変換するＤＡＣ（Ｄｉｇｉｔａｌ　Ａｎａｌｏｇ　Ｃｏｎｖｅｒｔｅｒ）５１を有する。
【００３８】
コピーガード信号発生部４５は、制御部２９から供給される制御コード信号Ｃか、メモリ４４から供給される特定制御コードに基づいて、コピーガード信号を発生するが、特定制御コード信号が供給されている場合には、それを優先させることができる。
【００３９】
制御コード符号化部４６は、コピーガード信号発生部４５で生成されているコピーガード信号に対応する制御コードを符号化するものであり、制御コードＣが選択されていれば、その制御コードを符号化し、メモリ４４の出力が選択されていれば、その制御コードを符号化する。
【００４０】
以上説明した構成によって、信号供給源であるＢＳデジタルチューナ１１の付加信号発生部１９から出力されるコピーガード信号と同じコピーガード信号を付した映像信号をＳＴＢ１２の出力端子２７から出力させることができるものである。
図４は、図１に示す本発明の映像信号伝送装置の動作を説明するためのフローチャートである。
図４において、ステップ４ａで開始され、ステップ４ｂでＶＢＩＤを分離してデコードし、ステップ４ｃでデコードしたＶＢＩＤに基づいてコピーガード信号を特定し、ステップ４ｄで特定したコピーガード信号を生成する。
一方ステップ４ｅで有効映像期間の映像信号をデジタル信号に変換すると共に、ステップ４ｆでＶＢＩＤをエンコードする。
次いで、ステップ４ｇで、ステップ４ｅでデジタル信号に変換した映像信号に特定垂直帰線期間データを付加すると共に、帰線期間にステップ４ｄで生成したコピーガード信号とステップ４ｆで生成したＶＢＩＤを多重する。
次いで、ステップ４ｇで得られた多重映像信号をステップ４ｈでアナログ信号に変換して出力し、ステップ４ｉで終了となる。
図５は、図１に示す本発明の映像信号伝送装置において、コピーガード信号を特定する処理を説明するためのフローチャートである。
ステップ５ａで開始され、ステップ５ｂでＶＢＩＤがデコードされ、ステップ５ｃでソース情報が取得される。次いでステップ５ｄで取得されたソース情報が特定ソース情報か否かの判定がなされ、特定ソース情報であった場合には、ステップ５ｅでメモリに記憶されている制御コードに基づいてコピーガード信号を生成して多重され、ステップ５ｆで終了となる。
【００４１】
図６は本発明の映像信号伝送装置の他の実施の形態を示すブロック図である。図において、図１における装置と同じ構成部分に同じ番号を付して詳細な説明は省略する。
図６に示す装置においては、信号供給源６１においては、映像信号源６２から供給される映像信号に対して、制御部２１による制御の下で付加信号発生部１９で生成したコピーガード信号を重畳させて、出力端子２０から出力させる。
さらに、制御部２１から付加信号発生部１９に供給される制御信号をそのまま、出力端子６３からＳＴＢ６４の入力端子６５に供給し、ＳＴＢ６４では、その制御信号を集中制御部６６で受けて付加信号発生部２６に供給することで、この付加信号発生部２６を信号供給源６１の付加信号発生部１９と全く同じコピーガード信号を生成するように制御し、グラフィックプロセッサ２５から出力される映像信号に多重するように構成したものである。
【００４２】
信号供給源６１から出力される制御信号は、データとクロックが１対のバスラインで送られるＩＩＣバスシステムに対応したものとして構成することができる。
図６に示す実施の形態では、信号供給源１１の付加信号発生部１９とＳＴＢ６３の付加信号発生部２６を全く同じ信号を生成して映像信号に重畳するように制御することが可能であり、簡単な構成で、入力映像信に重畳されているコピーガード信号と同じ種類のコピーガード信号を重畳して出力することができるものである。
【００４３】
以上説明したように、本発明によれば、アナログ映像信号の伝送過程において、映像信号をデジタル変換して再びアナログ信号に変換する処理が介在する際に、垂直帰線期間のデータが削除されてしまっても、入力信号に多重伝送されるコピーガード信号をＶＢＩＤに基づいて正確に復元して、多重して出力することができるようになるものである。
【００４４】
【発明の効果】
以上のように、本発明によれば、アナログ映像信号のＶＢＩＤに基づいて、入力映像信号に多重されているコピーガード信号を特定して、生成し、映像信号の出力段において、これを多重するようにしたので、入力映像信号に多重されているコピーガード信号と同じコピーガード信号が多重された映像信号を出力することができるものである。
【図面の簡単な説明】
【図１】本発明に係る、映像信号伝送装置の一実施の形態を示すブロック図。
【図２】図１に示す装置における要部を詳細に示すブロック図。
【図３】図１に示す装置における他の要部を詳細に示すブロック図。
【図４】本発明に係る、映像信号伝送装置の動作を説明するためのフローチャート。
【図５】本発明に係る、映像信号伝送装置の要部の動作を説明するためのフローチャート。
【図６】本発明の他の実施の形態を示すブロック図。
【図７】映像信号の垂直帰線期間を説明するための波形図。
【図８】映像信号の垂直帰線期間に多重されているＶＢＩＤを説明するための波形図。
【符号の説明】
１１…信号供給源（ＢＳデジタルチューナ）
１２…ＳＴＢ
１４，２３…入力端子
１９，２６…付加信号発生部
２０，２７…出力端子
２４…ＡＤＣ
２５…グラフィックプロセッサ
２８…ＶＢＩＤ処理部
２９…制御部
３１…ＶＢＩＤ信号抽出部
３２，４４…メモリ
３３…ＶＢＩＤ信号デコーダ
４５…コピーガード信号発生部
４６…制御コード符号化部
４７…情報符号化部
４８…ＶＢＩＤ信号発生部
４９…ブランキング多重部
５１…ＤＡＣ
【図１】
2004096586.tif 000003
【図２】
2004096586.tif 000004
【図３】
2004096586.tif 000005
【図４】
2004096586.tif 000006
【図５】
2004096586.tif 000007
【図６】
2004096586.tif 000008
【図７】
2004096586.tif 000009
【図８】
2004096586.tif 000010